(57)【特許請求の範囲】
【請求項１】
眼科用レンズであって、
前面と、
後面と、
光軸と、
前記前面および前記後面のうちの少なくとも１つの上に配置された少なくとも１つの回折格子パターンであって、前記光軸からの複数の距離範囲に対応する複数の輪帯を含み、前記複数の輪帯のそれぞれが、焦点距離に対応する共通の曲率半径を表面にそれぞれが有する複数のエシェレット格子を有し、前記複数の輪帯の少なくとも１つにおける前記エシェレット格子の表面の前記曲率半径が、前記複数の輪帯の少なくとも１つの別のものにおける前記エシェレット格子の表面の前記曲率半径とは異なる、回折格子パターンと、を含む、眼科用レンズ。
【請求項２】
前記複数のエシェレット格子のそれぞれが、高さを有し、前記複数の輪帯のそれぞれにおける前記エシェレット格子それぞれの前記高さが等しい、請求項１に記載の眼科用レンズ。
【請求項３】
前記複数の輪帯のそれぞれにおける前記エシェレット格子の表面の前記曲率半径に対応する前記焦点距離が、前記光軸からの輪帯距離と共に単調に変化する、請求項１に記載の眼科用レンズ。
【請求項４】
前記複数の輪帯のそれぞれにおける前記エシェレット格子の表面の前記曲率半径が、前記光軸からの輪帯距離と共に単調に変化する、請求項１に記載の眼科用レンズ。
【請求項５】
前記眼科用レンズが、シリコーン、ハイドロゲル、アクリル、およびＡｃｒｙＳｏｆ（登録商標）のうちの少なくとも１つから製作される、請求項１に記載の眼科用レンズ。
【請求項６】
前記複数の輪帯のうちの１つの輪帯が、第１の被写界深度を有し、前記眼科用レンズが、前記複数の輪帯に対応する第２の被写界深度を有し、前記第２の被写界深度が、前記第１の被写界深度より大きい、請求項１に記載の眼科用レンズ。
【請求項７】
前記第２の被写界深度が、前記第１の被写界深度の少なくとも２倍である、請求項６に記載の眼科用レンズ。
【請求項８】
前記第２の被写界深度が、前記第１の被写界深度の少なくとも３倍である、請求項６に記載の眼科用レンズ。
【請求項９】
眼科用装置であって、
前面、後面、光軸、ならびに前記前面および前記後面のうちの少なくとも１つの上に配置された少なくとも１つの回折パターンを有する、眼科用レンズであって、前記少なくとも１つの回折格子パターンが、前記光軸からの複数の距離範囲に対応する複数の輪帯を含み、前記複数の輪帯のそれぞれが、焦点距離に対応する共通の曲率半径を表面にそれぞれが有する複数のエシェレット格子を有し、前記複数の輪帯の少なくとも１つにおける前記エシェレット格子の表面の前記曲率半径が、前記複数の輪帯の少なくとも１つの別のものにおける前記エシェレット格子の表面の前記曲率半径とは異なる、眼科用レンズと、
前記眼科用レンズと連結された複数のハプティックと、を含む、眼科用装置。
【請求項１０】
前記複数のエシェレット格子のそれぞれが、高さを有し、前記複数の輪帯のそれぞれにおける前記エシェレット格子のそれぞれの前記高さが等しい、請求項９に記載の眼科用装置。
【請求項１１】
前記複数の輪帯のそれぞれにおける前記エシェレット格子の表面の前記曲率半径に対応する前記焦点距離が、前記光軸からの輪帯距離と共に単調に変化する、請求項９に記載の眼科用装置。
【請求項１２】
前記複数の輪帯のそれぞれにおける前記エシェレット格子の表面の前記曲率半径が、前記光軸からの輪帯距離と共に単調に変化する、請求項９に記載の眼科用装置。
【請求項１３】
前記眼科用レンズが、シリコーン、ハイドロゲル、アクリル、およびＡｃｒｙＳｏｆ（登録商標）のうちの少なくとも１つから製作される、請求項９に記載の眼科用装置。
【請求項１４】
前記複数の輪帯のうちの１つの輪帯が、第１の被写界深度を有し、前記眼科用レンズが、前記複数の輪帯に対応する第２の被写界深度を有し、前記第２の被写界深度が、前記第１の被写界深度より大きい、請求項９に記載の眼科用装置。
【請求項１５】
前記第２の被写界深度が、前記第１の被写界深度の少なくとも２倍である、請求項１４に記載の眼科用装置。
【請求項１６】
前記第２の被写界深度が、前記第１の被写界深度の少なくとも３倍である、請求項１４に記載の眼科用装置。
【発明の詳細な説明】
【背景技術】
【０００１】
眼内レンズ（ＩＯＬ）は、患者のレンズと置き換えるため、または水晶体のＩＯＬの場合には患者のレンズを補完するためのいずれかで、患者の眼内に埋め込まれる。例えば、ＩＯＬは、白内障手術中に、患者のレンズの代わりに埋め込むことができる。あるいは、水晶体ＩＯＬは、患者自身のレンズの光屈折力を増強するために患者の眼内に埋め込むことができる。
【０００２】
いくつかの従来のＩＯＬは、単焦点距離ＩＯＬである。単焦点距離ＩＯＬは、単焦点距離または単屈折力を有する。焦点距離は、一般に、患者に比較的近い点で、例えば患者からおよそ１メートルで固定される。眼／ＩＯＬからの焦点距離での対象物は、焦点が合い、一方で、より近いまたはより遠い対象物は、焦点が合わない。対象物は、焦点距離でのみ完全に焦点が合うが、被写界深度内の（焦点距離の特定の距離内の）対象物も依然として、患者が対象物を焦点が合っているとみなすのに許容できる状態で焦点が合っている。しかしながら、患者は、それでも、被写界深度より近いまたはそれより遠い対象物について追加の修正を必要とする場合がある。
【０００３】
いくつかの従来のＩＯＬは、複数の焦点距離を提供する回折を利用することができる。このような従来の回折ＩＯＬは典型的に、２つの焦点距離、すなわち遠距離および近距離を有する。回折ＩＯＬは、ＩＯＬの前面上に形成される回折格子を利用する。回折格子は典型的に、レンズ表面上に形成された、顕微的エシェレット格子、または表面鋸歯様切子面の形態を取る。エシェレット格子は、特定の焦点距離を有する回折格子を形成する。例えば、いくつかの従来の二焦点回折ＩＯＬは、光軸からの距離に基づいて、レンズを輪帯回折板に分け得る。各輪帯は、輪帯数の平方根に比例する曲率半径を有する単一のエシェレット格子を含み、奇数輪帯は、エシェレット格子についてステップ高を有し、偶数輪帯は、エシェレット格子についてステップ高の半分を有する。このような従来の回折ＩＯＬは、２つの焦点距離を有する場合がある。しかしながら、このような回折ＩＯＬは、それでも、各焦点距離の辺りで限定的な被写界深度を有する場合がある。その結果、患者は、それでも、読書などの活動のために追加の修正を必要とする場合があり、これは各焦点距離についての被写界深度の外側の対象物に焦点を合わせることを含み得る。
【０００４】
したがって、ＩＯＬの被写界深度を改善するためのシステムおよび方法が必要とされる。
【発明の概要】
【０００５】
方法およびシステムは、眼科用装置を提供し、この眼科用装置を使用して患者を治療する。眼科用装置は、前面、後面、光軸、および少なくとも１つの回折格子パターンを有する眼科用レンズを含む。回折格子パターン（複数可）は、前面および後面のうちの少なくとも１つの上に配置される。回折格子パターン（複数可）は、光軸からの距離範囲に対応する輪帯を含む。輪帯のそれぞれは、焦点距離に対応する曲率半径を有する複数のエシェレット格子を有する。輪帯の少なくとも一部のそれぞれの曲率半径は、輪帯の別のものの曲率半径とは異なる。
【図面の簡単な説明】
【０００６】
【図１】眼科用装置の例示的な実施形態の平面図を示す。
【図２】眼科用装置のレンズの例示的な実施形態の側面図を示す。
【図３】眼科用装置の一部の例示的な実施形態についての回折格子の例示的な実施形態を示す。
【図４】眼科用装置の一部の例示的な実施形態についてのレンズの例示的な実施形態を示す。
【図５】眼科用装置の一部の例示的な実施形態についての回折格子の別の例示的な実施形態を示す。
【図６】眼科用装置の一部の例示的な実施形態についてのレンズの別の例示的な実施形態を示す。
【図７】眼科用装置の一部の例示的な実施形態についてのレンズの別の例示的な実施形態を示す。
【図８】眼科用装置の利用方法の例示的な実施形態を示すフローチャートである。
【発明を実施するための形態】
【０００７】
例示的な実施形態は、回折格子を含むＩＯＬに関する。以下の説明は、当業者が本発明を行い、使用することを可能にするために示され、特許出願およびその要求の文脈で提供される。本明細書に記載される例示的な実施形態ならびに一般的な原理および特徴に対する様々な改変は、容易に明らかであろう。例示的な実施形態は、主に、特定の実施で提供される特定の方法およびシステムについて説明される。しかしながら、方法およびシステムは、他の実施で有効に作用するであろう。「例示的な実施形態」、「一実施形態」、および「別の実施形態」などの句は、同じまたは異なる実施形態を、および複数の実施形態を指す場合がある。実施形態は、ある特定の構成要素を有するシステムおよび／または装置について説明されるであろう。しかしながら、システムおよび／または装置は、示される構成要素より多いまたは少ない構成要素を含んでもよく、構成要素の配置および種類の変化は、本発明の範囲から逸脱することなくなされ得る。また、例示的な実施形態は、ある特定のステップを有する特定の方法の文脈で説明されるであろう。しかしながら、方法およびシステムは、異なるおよび／または追加のステップ、ならびに例示的な実施形態と一致しない異なる順序のステップを有する他の方法について有効に作用する。したがって、本発明は、示される実施形態に限定されるとは意図されず、本明細書に記載される原理および特徴と一致する最も広い範囲に従うものとする。
【０００８】
本明細書に記載される方法およびシステムは、眼科用装置を提供し、この眼科用装置を使用して患者を治療する。眼科用装置は、前面、後面、光軸、および少なくとも１つの回折格子パターンを有する眼科用レンズを含む。回折格子パターン（複数可）は、前面および後面のうちの少なくとも１つの上に配置される。回折格子パターン（複数可）は、光軸からの距離範囲に対応する輪帯を含む。輪帯のそれぞれは、焦点距離に対応する曲率半径を有する複数のエシェレット格子を有する。輪帯の少なくとも一部のそれぞれの曲率半径は、輪帯の別のものの曲率半径とは異なる。
【０００９】
図１〜２は、ＩＯＬとして使用され得る眼科用装置１００の例示的な実施形態を示す。図１は、眼科用装置１００の平面図を示し、図２は、眼科用レンズ１１０の側面図を示す。明確にするために、図１および２は、一定比率ではない。眼科用装置１００は、光軸１０６ならびにハプティック１０２および１０４を有する、眼科用レンズ１１０を含む。眼科用レンズは、様々な光学材料から製作してよく、光学材料としては、シリコーン、ハイドロゲル、アクリル、およびＡｃｒｙＳｏｆ（登録商標）のうちの１つ以上が挙げられるが、これらに限定されない。ハプティック１０２および１０４は、患者の眼内の定位置に眼科用装置１００を保持するために使用される（はっきりと示されていない）。しかしながら、他の実施形態では、他の機構（複数可）が、眼内の定位置に眼科用装置を維持するために使用されてもよい。明確にするために、ハプティックは、以下に説明される、図２〜７中では示さない。眼科用レンズ１１９は、図１の平面図で円形断面を有するものとして示されるが、他の実施形態では、他の形状を使用してもよい。
【００１０】
眼科用レンズ１１０は、光軸１０６からの半径距離に基づいて、輪帯に分けられる。示される実施形態では、眼科用レンズ１１０は、４つの輪帯、輪帯１、１１２、輪帯２、１１４、輪帯３、１１６、および輪帯４、１１８に分けられる。輪帯１、１１２は、ゼロ半径（光軸）から第１の最も小さい半径までに対応する円である。輪帯２、１１４は、第１の半径から第１の半径より大きい第２の半径までの環状輪である。輪帯３、１１６は、第２の半径から第２の半径より大きい第３の半径までの環状輪である。輪帯４、１１８は、第３の半径から第３の半径より大きい第４の半径までの環状輪である。示される実施形態では、輪帯４、１１８は、レンズ１１０の外側の縁部まで延在する。しかしながら、他の実施形態では、輪帯は、レンズ１１０の外側の縁部まで延在する必要はない。
【００１１】
レンズ１１０は、レンズ１１０の前面上の回折格子１２０も含む。しかしながら、他の実施形態では、回折格子１２０は、後面上に存在してよく、または回折格子は、レンズ１１０の前面および後面の両方の上に存在してもよい。さらに、回折格子１２０が、レンズ１１０の両方の面上に存在する場合、回折格子が同じである必要はない。回折格子１２０は、回折格子が提供されていないレンズに対応する点線に関連して示されている。回折格子１２０は、エシェレット格子１２２を含む。簡潔にするために、２つのエシェレット格子１２２のみに標識を付ける。示される実施形態では、回折格子１２０は、回折次数が＋１であることを有してよく、これにより、レンズ１１０の屈折部分が、回折格子１２０とより良く組み込まれることを可能にする。
【００１２】
回折格子１２０のエシェレット格子１２２は、輪帯１１２、１１４、１１６、および１１８で異なる。より具体的には、エシェレット格子１２２の表面の曲率半径は、輪帯による。したがって、輪帯１、１１２のエシェレット格子１２２は、第１の曲率半径を有し、輪帯２、１１４のエシェレット格子１２２は、第２の曲率半径を有し、輪帯３、１１６のエシェレット格子１２２は、第３の曲率半径を有し、輪帯４、１１８のエシェレット格子１２２は、第４の曲率半径を有する。第１、第２、第３、および第４の曲率半径の少なくともいくつかは、他の曲率半径とは異なる。示される実施形態では、輪帯１、１１２のエシェレット格子１２２の第１の曲率半径は、最も大きく、輪帯２、１１４のエシェレット格子１２２の第２の曲率半径は、２番目に大きく、輪帯３、１１６のエシェレット格子１２２の第３の曲率半径は、３番目に大きく、輪帯４、１１８のエシェレット格子１２２の第４の曲率半径は、最も小さい。したがって、曲率半径は、図２で、より低い輪帯からより高い輪帯まで単調に減少する。しかしながら、他の従属は、可能である。例えば、曲率半径は、光軸から増大する距離で増大してもよい。さらに、また、輪帯１１２、１１４、１１６、および／または１１８の曲率半径は、球面収差などの問題の原因となるように構成され得る。したがって、いくつかの実施形態では、曲率半径は、より低い半径の輪帯からより高い半径の輪帯まで単調に増大または減少しない。しかしながら、ほとんどの実施形態では、回折格子１２０は、輪帯の焦点距離が（輪帯の曲率半径とは反対に）、単調に増大または単調に減少するように、構成される。示される実施形態では、エシェレット格子１２２のステップ高は、変化しない。したがって、ステップ高は、輪帯１１２、１１４、１１６、および１１８のそれぞれについて同じである。特定の輪帯のエシェレット格子１２２の局所的なステップ高は、その輪帯の光学効率に対応する。いくつかの実施形態では、それゆえ、局所的ステップ高は、特定の光波長について一定値の光学効率を提供するために一定である。しかしながら、他の実施形態では、ステップ高は、変化してもよい。
【００１３】
示される実施形態では、回折格子１２０の局所的周期は、Λ＝ｆλ／ｒにより与えられ、Λは、周期であり、ｆは、回折面の焦点距離であり、ｒは、光軸からの距離であり、λは、光波長である。焦点距離および周期Λは、エシェレット格子１２２の曲率半径に依存する。上記に説明されるように、輪帯１１２、１１４、１１６、および１１８の曲率半径は、異なる。したがって、また、焦点距離および格子周期は、輪帯１１２、１１４、１１６、および１１８のそれぞれで異なる。
【００１４】
レンズ１１０は、輪帯１１２、１１４、１１６、および１１８のエシェレット格子の様々な曲率半径のために高い被写界深度を有する場合がある。より具体的には、輪帯１１２、１１４、１１６、および１１８のそれぞれのエシェレット格子の異なる曲率半径は、輪帯１１２、１１４、１１６、および１１８の異なる焦点距離に対応する。したがって、回折格子１２０は、単焦点距離の代わりに、輪帯１１２、１１４、１１６、および１１８の焦点距離を組み合わせたものを有すると考えてよい。同様に、回折格子１２０の被写界深度は、輪帯１１２、１１４、１１６、および１１８の被写界深度を組み合わせたものであってもよい。レンズ１１０の被写界深度は、この被写界深度を組み合わせた分、延ばされてもよい。例えば、各輪帯が、それ自体の焦点距離、およびその輪帯のエシェレット格子の曲率半径により設定される特定の焦点距離の周りの被写界深度を有すると仮定されたい。レンズ１１０の被写界深度は、輪帯１１２、１１４、１１６、および１１８の焦点距離の周りの輪帯１１２、１１４、１１６、および１１８の全ての被写界深度を含んでよい。したがって、レンズ１１０の被写界深度は、単一の輪帯１１２、１１４、１１６、および１１８の被写界深度を超えて延在している。いくつかの実施形態では、回折格子１２０を含むレンズ１１０の被写界深度は、回折格子の単一の輪帯１１２、１１４、１１６、または１１８の被写界深度の少なくとも２倍であり得る。いくつかのこのような実施形態では、レンズ１１０の被写界深度は、回折格子の単一の輪帯１１２、１１４、１１６、または１１８の被写界深度の少なくとも３倍である。したがって、レンズ１１０およびそれゆえ、眼科用装置１００の被写界深度は、異なる曲率半径を有するエシェレット格子１２２を有する輪帯１１２、１１４、１１６、および１１８を使用することにより増大され得る。
【００１５】
このようにして、レンズ１１０の被写界深度を、向上させることができる。この被写界深度の増大は、ステップ高を変えることなく、またはその他の点で眼科用レンズ１１０の光学効率に悪影響を及ぼすことなく、達成することができる。被写界深度の向上は、レンズ１１０の屈折力に影響することなく、達成することができる。回折格子１２０を、レンズ１１０内の屈折と組み合わせて、患者のための所望のレンズ屈折力を達成することができる。その結果、眼科用装置１００およびレンズ１１０は、患者の視野問題により良く取り組むことができる場合がある。
【００１６】
図３および４は、レンズ１１０′の別の例示的な実施形態の側面図および平面図を示す。図３および４は、一定比率ではない。レンズ１１０′は、レンズ１１０と類似しており、したがって、眼科用装置１００に組み込むことができる。レンズ１１０′は、光軸１０６′、輪帯１１２′、１１４′、および１１６′、ならびにエシェレット格子１２２′（そのうちの４つのみに、図３で標識を付ける）を含む回折格子１２０′を含み、それらは、それぞれ、光軸１０６、輪帯１１２、１１４、および１１６、ならびにエシェレット格子１２２を有する回折格子１２０と類似している。したがって、構成要素１０６′、１１０′、１１２′、１１４′、１１６′、１２０′、および１２２′の構造および機能は、それぞれ、構成要素１０６、１１０、１１２、１１４、１１６、１２０、および１２２の構造および機能と類似している。明確にするために、図３の側面図は、回折格子１２０′が存在する表面が平面であるかのように、レンズ１１０′を示す。しかしながら、回折格子１２０′が存在する前面および／または後面は、典型的に湾曲する。さらに、輪帯境界に存在しないエシェレット格子の先端は、図４で点線として示される。
【００１７】
輪帯１１２′、１１４′、および１１６′のエシェレット格子１２２′は、３つの異なる曲率半径を有する。輪帯１、１１２′は、最も大きな曲率半径を有するエシェレット格子１２２′を含む。輪帯２、１１４′は、中間の曲率半径を有するエシェレット格子１２２′を含む。輪帯３、１１６′は、最も小さな曲率半径を有するエシェレット格子１２２′を含む。さらに、曲率半径は、別の様式で変化してもよい。３つの輪帯１１２′、１１４′、および１１６′のみが示されるが、別の数を使用してもよい。図３で見ることができるように、エシェレット格子１２２′は、輪帯１１２′、１１４′、および１１６′の焦点距離に対応する曲率半径を有する凹面を有する。示される実施形態では、全ての３つの輪帯１１２′、１１４′、および１１６′のエシェレット格子１２２′は、異なる曲率半径を有する。しかしながら、別の実施形態では、輪帯のいくつかは、同じ曲率半径を有してもよい。例えば、輪帯１１２′は、輪帯１１６′と同じ曲率半径を有してよい。加えて、図３の各輪帯１１２′、１１４′、および１１６′の幅は、異なるものとして示される。しかしながら、他の実施形態では、輪帯１１２′、１１４′、および１１６′は、同じ幅を有してもよい。さらに、エシェレット格子１２２′は、輪帯境界で終わるものとして示される。しかしながら、別の実施形態では、エシェレット格子１２２′は、輪帯１１２′、１１４′、および１１６′の間の境界で終わらなくてもよい。
【００１８】
眼科用レンズ１１０′は、レンズ１１０および眼科用装置１００の利点を共有する。レンズ１１０′は、輪帯１１２′、１１４′、および１１６′のエシェレット格子１２２′の様々な曲率半径のために高い被写界深度を有する場合がある。この被写界深度の改善は、眼科用レンズ１１０′の光学効率および屈折力に悪影響を及ぼすことなく、達成することができる。回折格子１２０′を、レンズ１１０内の屈折と組み合わせて、患者のための所望のレンズ屈折力を達成することができる。その結果、眼科用装置１００およびレンズ１１０′は、患者の視野問題により良く取り組むことができる場合がある。
【００１９】
図５および６は、レンズ１１０′′の別の例示的な実施形態の側面図および平面図を示す。図５および６は、一定比率ではない。レンズ１１０′′は、レンズ１１０および１１０′と類似している。したがって、レンズ１１０′′は、眼科用装置１００に組み込むことができる。レンズ１１０′′は、光軸１０６′′、輪帯１１２′′、１１４′′、および１１６′′、ならびにエシェレット格子１２２′′（そのうちの４つのみに、図５で標識を付ける）を含む回折格子１２０′′を含み、それらは、それぞれ、光軸１０６／１０６′、輪帯１１２／１１２′、１１４／１１４′、および１１６／１１６′、ならびにエシェレット格子１２２／１２２′を有する回折格子１２０／１２０′と類似している。したがって、構成要素１０６′′、１１０′′、１１２′′、１１４′′、１１６′′、１２０′′、および１２２′′の構造および機能は、それぞれ、構成要素１０６／１０６′、１１０／１１０′、１１２／１１２′、１１４／１１４′、１１６／１１６′、１２０／１２０′、および１２２／１２２′の構造および機能と類似している。明確にするために、図５の側面図は、回折格子１２０′が存在する表面が平面であるかのように、レンズ１１０′′を示す。しかしながら、回折格子１２０′′が存在する前面および／または後面は、典型的に湾曲する。さらに、輪帯境界に存在しないエシェレット格子の先端は、図４で点線として示される。
【００２０】
輪帯１１２′′、１１４′′、および１１６′′のエシェレット格子１２２′′は、３つの異なる曲率半径を有する。輪帯１、１１２′′は、最も大きな曲率半径を有するエシェレット格子１２２′′を含む。輪帯２、１１４′′は、中間の曲率半径を有するエシェレット格子１２２′′を含む。輪帯３、１１６′′は、最も小さな曲率半径を有するエシェレット格子１２２′′を含む。３つの輪帯１１２′′、１１４′′、および１１６′′のみが示されるが、別の数を使用してもよい。さらに、曲率半径は、別の様式で変化してもよい。図５で見ることができるように、エシェレット格子１２２′′は、輪帯１１２′′、１１４′′、および１１６′′の焦点距離に対応する曲率半径を有する凸面を有する。示される実施形態では、全ての３つの輪帯１１２′、１１４′′、および１１６′′のエシェレット格子１２２′は、異なる曲率半径を有する。しかしながら、別の実施形態では、輪帯のいくつかは、同じ曲率半径を有してもよい。例えば、輪帯１１２′′は、輪帯１１６′′′と同じ曲率半径を有してよい。加えて、各輪帯１１２′′、１１４′′、および１１６′′の幅は、異なるものとして示される。しかしながら、他の実施形態では、輪帯１１２′′、１１４′′、および１１６′′は、同じ幅を有してもよい。さらに、エシェレット格子１２２′′は、輪帯境界で終わるものとして示される。しかしながら、別の実施形態では、エシェレット格子１２２′′は、輪帯１１２′′、１１４′′、および１１６′′の間の境界で終わらなくてもよい。
【００２１】
眼科用レンズ１１０′′は、レンズ１１０／１１０′および眼科用装置１００の利点を共有する。レンズ１１０′′は、輪帯１１２′′、１１４′′、および１１６′′のエシェレット格子１２２′′の様々な曲率半径のために高い被写界深度を有する場合がある。この被写界深度の改善は、眼科用レンズ１１０′′の光学効率および屈折力に悪影響を及ぼすことなく、達成することができる。回折格子１２０′′を、レンズ１１０′′内の屈折と組み合わせて、患者のための所望のレンズ屈折力を達成することができる。その結果、眼科用装置１００およびレンズ１１０′′は、患者の視野問題により良く取り組むことができる場合がある。
【００２２】
図７は、回折格子１２０′′′を有するレンズ１１０′′′の別の例示的な実施形態の側面図を示す。図７は、一定比率ではない。明確にするために、図７の側面図は、回折格子１２０′′′が存在する表面が平面であるかのように、レンズ１１０′′′を示す。しかしながら、回折格子１２０′′′が存在する前面および／または後面は、典型的に湾曲する。レンズ１１０′′′は、レンズ１１０、１１０′、および１１０′′と類似している。したがって、レンズ１１０′′′は、眼科用装置１００に組み込むことができる。レンズ１１０′′′は、光軸１０６′′′、輪帯１１２′′′、１１４′′′、１１６′′′、および１１８′′′、ならびにエシェレット格子１２２′′′を含む回折格子１２０′′′を含み、それらは、それぞれ、光軸１０６／１０６′／１０６′′、輪帯１１２／１１２′／１１２′′、１１４／１１４′／１１４′′、１１６／１１６′／１１６′′、および１１８、ならびにエシェレット格子１２２／１２２′／１２２′′を有する回折格子１２０／１２０′／１２０′′と類似している。したがって、構成要素１０６′′′、１１０′′′、１１２′′′、１１４′′′、１１６′′′、１２０′′′、および１２２′′′の構造および機能は、それぞれ、構成要素１０６／１０６′／１０６′′、１１０／１１０′／１１０′′、１１２／１１２′／１１２′′、１１４／１１４′／１１４′′、１１６／１１６′／１１６′′、１１８′、１２０／１２０′／１２０′′、および１２２／１２２′／１２２′′の構造および機能と類似している。４つの輪帯１１２′′′、１１４′′′、１１６′′′、および１１８′′が示されるが、別の数を使用してもよい。
【００２３】
輪帯１１２′′′、１１４′′′、１１６′′′、および１１８′′′のエシェレット格子１２２′′′は、４つの異なる曲率半径を有する。輪帯１、１１２′′′は、最も大きな曲率半径を有するエシェレット格子１２２′′′を含む。輪帯２、１１４′′′は、輪帯１、１１２′′′の曲率半径より小さく、輪帯３、１１６′′′の曲率半径より大きい、曲率半径を有するエシェレット格子１２２′′′を含む。輪帯３、１１６′′′は、最も小さな曲率半径を有するエシェレット格子１２２′′′を含む。しかしながら、輪帯４、１１８′′′のエシェレット格子１２２′′′は、輪帯１、１１２′′′のエシェレット格子の曲率半径と、輪帯２、１１４′′のエシェレット格子の曲率半径との間の、曲率半径を有する。輪帯４のエシェレット格子１２２′のより大きな曲率半径は、球面収差などの他の効果の原因となることにおいて助けとなる。さらに、曲率半径は、別の様式で変化してもよい。加えて、エシェレット格子１２２′′′のステップ高は、輪帯１１２′′′、１１４′′′、１１６′′′、および１１８′′′の全てについて同じである。しかしながら、エシェレット格子１２２′′′は、輪帯間の境界で、または輪帯間の境界近くで、様々な切子面および／またはより小さなステップ高を有するように見える場合がある。
【００２４】
眼科用レンズ１１０′′′は、レンズ１１０／１１０′／１１０′′および眼科用装置１００の利点を共有する。レンズ１１０′′′は、輪帯１１２′′′、１１４′′′、１１６′′′、および１１８′′′のエシェレット格子１２２′′′の様々な曲率半径のために高い被写界深度を有する場合がある。この被写界深度の改善は、眼科用レンズ１１０′′′の光学効率および屈折力に悪影響を及ぼすことなく、達成することができる。回折格子１２０′′′を、レンズ１１０′′′内の屈折と組み合わせて、患者のための所望のレンズ屈折力を達成することができる。加えて、他の収差も、エシェレット格子１２２′′′の曲率半径の変化について原因とされる場合がある。その結果、眼科用装置１００およびレンズ１１０′′′は、患者の視野問題により良く取り組むことができる場合がある。
【００２５】
回折格子１２０／１２０′／１２０′′／１２０′′′は、いくつかの異なる方法でレンズ１１０／１１０′／１１０′′／１１０′′′に適用してよい。例えば、回折格子１２０／１２０′／１２０′′／１２０′′′は、レンズ１１０／１１０′／１１０′′／１１０′′′の前面および／または後面と一体式であってよい。いくつかの実施形態では、回折格子１２０／１２０′／１２０′′／１２０′′′は、レンズを形成するために使用される鋳型のパターンに組み込んでもよい。別の実施形態では、回折格子１２０／１２０′／１２０′′／１２０′′′は、レンズを形成した後に、レンズの前面および／または後面に機械加工またはエッチングしてもよい。これらの実施形態では、主要なレンズ部分および回折格子の両方を形成するために使用される材料は、典型的に同じであろう。本明細書に記載の眼科用レンズに使用される材料としては、シリコーン、アクリル（例えばＡｃｒｙＳｏｆ（登録商標）を含む）、およびハイドロゲルが挙げられるが、これらに限定されない。他の実施形態では、回折格子１２０／１２０′／１２０′′／１２０′′′は、レンズ表面とは別個に製造され、次いで、製造後にレンズ前面および／または後面に締結または連結してもよい。このような実施形態では、回折格子は、レンズの主要な部分とは異なる材料から製造される場合がある。
【００２６】
図８は、患者の眼の病態を治療するための方法２００の例示的な実施形態である。簡潔にするために、いくつかのステップは、省略、割り込み、および／または連合される場合がある。また、方法２００は、眼科用装置１００および眼科用レンズ１１０を用いる文脈で説明される。しかしながら、方法２００は、眼科用レンズ１１０、１１０′、１１０′′、１１０′′′のうちの１つ以上、および／または類似する眼科用装置と共に使用してもよい。
【００２７】
患者の眼内への埋め込みのための眼科用装置１００は、ステップ２０２により選択される。眼科用装置１００は、回折格子１２０を有する眼科用レンズ１１０を含む。したがって、眼科用レンズ１１０、１１０′、１１０′′、または１１０′′′を含む眼科用装置１００は、ステップ２０２で選択され得る。
【００２８】
眼科用装置１００は、ステップ２０４により、患者の眼内へ埋め込まれる。ステップ２０４は、患者自身のレンズを眼科用装置１００で置き換えること、または患者のレンズを眼科用装置で増強することを含む場合がある。患者の治療は、その後、完了することができる。いくつかの実施形態では、別の類似の眼科用装置の、患者の他の眼内への埋め込みが、行われ得る。
【００２９】
方法２００を用いて、眼科用レンズ（複数可）１１０、１１０′、１１１０′′、１１０′′′、および／または眼科用レンズを使用してよい。このようにして、眼科用レンズ１１０、１１０′、１１０′′、および／または１１０′′′のうちの１つ以上の利点を、達成することができる。
【００３０】
回折格子を有する眼科用レンズを提供する方法およびシステム、レンズを含む眼科用装置、ならびに眼科用装置を使用する方法を説明した。方法およびシステムは、示される例示的な実施形態に従って説明され、これらの実施形態に対する変形があり得ること、任意の変形は本方法およびシステムの趣旨および範囲内であることを、当業者は容易に認識するであろう。したがって、多くの改変が、付属の特許請求の範囲の趣旨および範囲から逸脱することなく、当業者によりなされ得る。
【図１】
0006491106.tif 000002
【図２】
0006491106.tif 000003
【図３】
0006491106.tif 000004
【図４】
0006491106.tif 000005
【図５】
0006491106.tif 000006
【図６】
0006491106.tif 000007
【図７】
0006491106.tif 000008
【図８】
0006491106.tif 000009